(57)【要約】【課題】１次巻線を巻くための窓面積を確保すると共に１次巻線と２次巻線との絶縁性能を確保することを目的とする。【解決手段】バラストチョーク２００は、ボビン２０１がセパレータａ２０２とセパレータｂ２０３とにより３つのセクションに仕切られている。１次巻線であるＰコイル２１０は巻きセクションａ２９１に巻かれる。１次巻線に接続する２次巻線であるＳ１コイル２１１はＰコイル２１０の外周に巻かれる。Ｓ１コイル２１１以外の２次巻線であるＳ２コイル２１２およびＳ３コイル２１３は巻きセクションｂ２９２および巻きセクションｃ２９３に巻かれる。Ｐコイル２１０とＳ２コイル２１２とは巻きセクションｂ２９２により絶縁され、Ｐコイル２１０とＳ３コイル２１３とは巻きセクションｃ２９３により絶縁される。【選択図】図２
2010212340.tif 000002
【特許請求の範囲】
【請求項１】
１次巻線が巻かれた１次巻線セクションと、前記１次巻線セクションを挟んだ両側のセクションのうち片側のセクションであって第１の２次巻線が巻かれた第１の２次巻線セクションと、前記１次巻線セクションを挟んだ両側のセクションのうち前記第１の２次巻線セクションでない片側のセクションであって第２の２次巻線が巻かれた第２の２次巻線セクションとを有するボビンと、
前記１次巻線セクションと前記第１の２次巻線セクションとを仕切る第１のセパレータと、
前記１次巻線セクションと前記第２の２次巻線セクションとを仕切る第２のセパレータと
を備えたことを特徴とするトランス。
【請求項２】
各２次巻線が放電灯に接続することを特徴とする請求項１記載のトランス。
【請求項３】
前記ボビンは、さらに、前記１次巻線セクションの外周に第３の２次巻線が巻かれる
ことを特徴とする請求項１〜請求項２いずれかに記載のトランス。
【請求項４】
前記第３の２次巻線が第１の放電灯の両端側にある電極のうち前記第１の放電灯と直列に接続される第２の放電灯側の反対側にある第１の電極に接続し、前記第１の２次巻線が前記第１の放電灯の両端側にある電極のうち前記第２の放電灯側にある第２の電極に接続すると共に前記第２の放電灯の両端側にある電極のうち前記第１の放電灯側にある第３の電極に接続し、前記第２の２次巻線が前記第２の放電灯の両端側にある電極のうち前記第１の放電灯側の反対側にある第４の電極に接続する
ことを特徴とする請求項３記載のトランス。
【請求項５】
前記第３の２次巻線が一端で前記第１の電極に接続すると共に他端で前記１次巻線の一端に接続する
ことを特徴とする請求項４記載のトランス。
【請求項６】
前記ボビンは、さらに、前記第１の２次巻線セクション側に第１の端子部を有すると共に前記第２の２次巻線セクション側に第２の端子部を有し、前記第１の２次巻線が前記第１の端子部に接続し、前記第２の２次巻線が前記第２の端子部に接続する
ことを特徴とする請求項１〜請求項５いずれかに記載のトランス。
【請求項７】
前記第１の端子部が一列に配置された複数の端子を有すると共に前記第２の端子部が一列に配置された複数の端子を有し、前記第１の端子部の複数の端子と前記第２の端子部の複数の端子とが長方形のプリント基板の長辺側に配置されて前記プリント基板に接続される
ことを特徴とする請求項６記載のトランス。
【請求項８】
前記プリント基板に設けられるインバータ回路部と前記プリント基板に設けられる放電灯負荷回路部との間に配置されて前記プリント基板に接続される
ことを特徴とする請求項７記載のトランス。
【発明の詳細な説明】
【技術分野】
【０００１】
本発明は、例えば、放電灯点灯装置用のトランスに関するものである。
【背景技術】
【０００２】
蛍光ランプを点灯する装置には、ＣＯ２削減や効率向上による省エネルギー化および長寿命化が求められている。
【０００３】
特許文献１には、蛍光灯放電灯を負荷とした回路に使用するトランスの構造について記載されている。例えば、プッシュプル回路により放電灯を点灯させる際のトランスの構造として放電灯の電極を予熱する予熱巻線の構造について記載されている。
【先行技術文献】
【特許文献】
【０００４】
【特許文献１】特開平９−３５８８５号公報
【発明の概要】
【発明が解決しようとする課題】
【０００５】
本発明は、例えば、１次巻線を巻くための窓面積を確保すると共に１次巻線と２次巻線との絶縁性能を確保することを目的とする。
【課題を解決するための手段】
【０００６】
本発明のトランスは、１次巻線が巻かれた１次巻線セクションと、前記１次巻線セクションを挟んだ両側のセクションのうち片側のセクションであって第１の２次巻線が巻かれた第１の２次巻線セクションと、前記１次巻線セクションを挟んだ両側のセクションのうち前記第１の２次巻線セクションでない片側のセクションであって第２の２次巻線が巻かれた第２の２次巻線セクションとを有するボビンと、前記１次巻線セクションと前記第１の２次巻線セクションとを仕切る第１のセパレータと、前記１次巻線セクションと前記第２の２次巻線セクションとを仕切る第２のセパレータとを備える。
【発明の効果】
【０００７】
本発明によれば、例えば、１次巻線を巻くための窓面積を確保すると共に１次巻線と２次巻線との絶縁性能を確保することができる。
【図面の簡単な説明】
【０００８】
【図１】実施の形態１における放電灯点灯装置１００の回路図。
【図２】実施の形態１におけるバラストチョーク２００の外観図。
【図３】実施の形態１におけるバラストチョーク２００のコイルと接続端子２０９との配置図。
【図４】実施の形態１におけるプリント基板３００を示す図。
【図５】実施の形態２（実施例１）におけるバラストチョーク２００のコイルと接続端子２０９との配置図。
【図６】実施の形態２（実施例２）における放電灯点灯装置１００の回路図。
【図７】実施の形態２（実施例２）におけるバラストチョーク２００のコイルと接続端子２０９との配置図。
【発明を実施するための形態】
【０００９】
実施の形態１．
放電灯に接続する１次巻線および複数の２次巻線を有する放電灯点灯装置用トランスについて説明する。
【００１０】
図１は、実施の形態１における放電灯点灯装置１００の回路図である。
実施の形態１における放電灯点灯装置１００について、図１に基づいて以下に説明する。
【００１１】
放電灯点灯装置１００は整流回路１１０、アクティブフィルタ回路１２０、インバータ回路１３０、インバータ制御回路１４０、バラストチョーク２００およびランプ負荷回路１６０を備える。
【００１２】
整流回路１１０は商用電源１０１からの交流電圧（電流）を整流する。
アクティブフィルタ回路１２０は整流回路１１０により整流された電圧を平滑化する。
インバータ回路１３０はアクティブフィルタ回路１２０により平滑化された電圧を高周波で出力する。
インバータ制御回路１４０はインバータ回路１３０のスイッチング素子１３１を制御する。
バラストチョーク２００およびランプ負荷回路１６０はインバータ回路１３０から出力された電圧によりランプ（放電灯）を点灯させる。
【００１３】
放電灯点灯装置１００は、バラストチョーク２００に直列に接続される２つの熱陰極形放電灯（以下、放電灯という）（１０２、１０３）を点灯させる。
【００１４】
以下に、バラストチョーク２００とランプ負荷回路１６０との詳細について説明する。
【００１５】
バラストチョーク２００は、Ｐコイル２１０、Ｓ１コイル２１１、Ｓ２コイル２１２およびＳ３コイル２１３を備える。
【００１６】
Ｐコイル２１０は「１次巻線」である。１次巻線は、放電灯に流れる電流を制限する。
Ｓ１コイル２１１、Ｓ２コイル２１２およびＳ３コイル２１３は「２次巻線」である。２次巻線は、ランプ負荷回路１６０の予熱コンデンサに蓄電して放電灯の電極を予熱する。
【００１７】
ランプ負荷回路１６０は、直流カットコンデンサ１６１、始動コンデンサ１６２および各放電灯の電極（フィラメント）を予熱する予熱コンデンサ（１６３〜１６５）を備える。
【００１８】
バラストチョーク２００およびランプ負荷回路１６０の各部品は「インバータ回路１３０→Ｐコイル２１０→Ｓ１コイル２１１→予熱コンデンサａ１６３→放電灯ａ１０２→Ｓ２コイル２１２→予熱コンデンサｂ１６４→放電灯ｂ１０３→予熱コンデンサｃ１６５→Ｓ３コイル２１３→直流カットコンデンサ１６１→インバータ回路１３０」の並びで接続される。始動コンデンサ１６２は、Ｓ１コイル２１１〜Ｓ３コイル２１３に並列に接続される。
【００１９】
Ｐコイル２１０は、一端部（Ｐａ）が電源側（インバータ回路１３０）に接続すると共に他端部（Ｐｂ）がＳ１コイル２１１に接続する。
Ｓ１コイル２１１は、一端部（Ｓ１ａ）がＰコイル２１０に接続すると共に他端部（Ｓ１ｂ）が予熱コンデンサａ１６３を介して放電灯ａ１０２の電極（Ａ）に接続し、予熱コンデンサａ１６３を介して放電灯ａ１０２の電極（Ａ）を予熱する。
Ｓ２コイル２１２は、一端部（Ｓ２ａ）が放電灯ａ１０２の電極（Ｂ）に接続すると共に他端部（Ｓ２ｂ）が予熱コンデンサｂ１６４を介して放電灯ｂ１０３の電極（Ｃ）に接続し、放電灯ａ１０２の電極（Ｂ）を予熱すると共に予熱コンデンサｂ１６４を介して放電灯ｂ１０３の電極（Ｃ）を予熱する。
Ｓ３コイル２１３は、一端部（Ｓ３ａ）が予熱コンデンサｃ１６５を介して放電灯ｂ１０３の電極（Ｄ）に接続すると共に他端部（Ｓ３ｂ）が直流カットコンデンサ１６１を介してインバータ回路１３０に接続し、放電灯ｂ１０３の電極（Ｄ）を予熱する。
【００２０】
予熱コンデンサａ１６３は、放電灯ａ１０２の両端側の電極のうち放電灯ｂ１０３と反対側（電源側）の電極（Ａ）に接続し、放電灯ａ１０２の電極（Ａ）を予熱する。
予熱コンデンサｂ１６４は、放電灯ａ１０２の両端側の電極のうち放電灯ｂ１０３側の電極（Ｂ）に接続すると共に放電灯ｂ１０３の両端側の電極のうち放電灯ａ１０２側の電極（Ｃ）に接続し、放電灯ａ１０２の電極（Ｂ）および放電灯ｂ１０３の電極（Ｃ）を予熱する。
予熱コンデンサｃ１６５は、放電灯ｂ１０３の両端側の電極のうち放電灯ａ１０２と反対側の電極（Ｄ）に接続し、放電灯ｂ１０３の電極（Ｄ）を予熱する。
【００２１】
Ｐコイル２１０の一端部（Ｐｂ）とＳ１コイル２１１の一端部（Ｓ１ａ）とは基準電位が共通になる。
放電灯ａ１０２の電極（Ａ）は高圧側であり、放電灯ｂ１０３の電極（Ｄ）は低圧側である。
【００２２】
図１において、各コイルの両端部に記した符号（１）、（３）、（５）、（６）、（７）、（９）、（１０）は、後述するバラストチョーク２００の接続端子を示している。
【００２３】
図２は、実施の形態１におけるバラストチョーク２００の外観図である。
実施の形態１におけるバラストチョーク２００の外観について、図２に基づいて以下に説明する。
【００２４】
バラストチョーク２００は、各コイル（斜線部分）が巻かれたボビン２０１を備える。
ボビン２０１は、上面図に示すように、２つのＥ型のコア（鉄心）（２０５、２０６）を備える。ギャップ無コア２０６はＥ型の上突部、中央突部（点線部分）および下突部それぞれの長さが同じである。ギャップ付コア２０５はＥ型の中央突部（点線部分）の長さがＥ型上下の突部より短い。ギャップ無コア２０６とギャップ付コア２０５とは向かい合わせに互いのＥ型上下の突部で接し、互いのＥ型中央突部の間にギャップを有する。
ギャップ付コア２０５のＥ型の背部とギャップ無コア２０６のＥ型の背部とにはコアテープ２０７が貼られる（例えば、右側面図参照）。
【００２５】
各コイルは、ギャップ無コア２０６のＥ型中央の突部とギャップ付コア２０５のＥ型中央の突部とに巻かれる。以下、各コイルが巻かれるギャップ無コア２０６のＥ型中央の突部とギャップ付コア２０５のＥ型中央の突部とを「コア」という。
コアは、両端部（Ｅ型の縦部）の近くに一つずつセパレータ（２０２、２０３）を有し、２つのセパレータによって長さ方向に３つのセクション（２９１、２９３、２９２）に仕切られている。
【００２６】
以下、ギャップ付コア２０５側のセパレータを「セパレータａ２０２」、ギャップ無コア２０６側のセパレータを「セパレータｂ２０３」という。
また、３つのセクションのうち中央部分の幅広いセクション（セパレータａ２０２とセパレータｂ２０３との間）を「巻きセクションａ２９１」、３つのセクションのうちギャップ付コア２０５側の幅狭いセクション（セパレータａ２０２とギャップ付コア２０５のＥ型縦部との間）を「巻きセクションｂ２９２」、３つのセクションのうちギャップ無コア２０６側の幅狭いセクション（セパレータｂ２０３とギャップ無コア２０６のＥ型縦部との間）を「巻きセクションｃ２９３」という。
【００２７】
巻きセクションａ２９１には、Ｐコイル２１０が巻かれると共にセパレータｂ２０３の近くでバラストチョーク２００の外周にＳ１コイル２１１が巻かれる。Ｐコイル２１０とＳ１コイル２１１との間には絶縁テープ２０８Ｂが挟まれる。また、巻きセクションａ２９１には外装テープ２０８Ａが貼られる。
巻きセクションｂ２９２にはＳ２コイル２１２が巻かれ、巻きセクションｃ２９３にはＳ３コイル２１３が巻かれる。
【００２８】
各セパレータにより、Ｐコイル２１０とＳ２コイル２１２およびＰコイル２１０とＳ３コイル２１３が絶縁され、バラストチョーク２００の長寿命化を図れる。
また、Ｓ２コイル２１２の巻きセクションｂ２９２とＳ３コイル２１３の巻きセクションｃ２９３とを設けたことにより、Ｓ２コイル２１２とＳ３コイル２１３とをＰコイル２１０の外周に巻く必要が無く、Ｐコイル２１０を多重に巻くことができる。
【００２９】
ボビン２０１は、巻きセクションｂ２９２側の端部と巻きセクションｃ２９３側の端部とのそれぞれに複数の接続端子２０９（例えば、表記（５）（７）（３）（９）（１））を備える。
【００３０】
図３は、実施の形態１におけるバラストチョーク２００のコイルと接続端子２０９との配置図である。
図３では、セパレータａ２０２を右側、セパレータｂ２０３を左側に配置して、ギャップ付コア２０５とギャップ無コア２０６とを取り除き、コア部分の断面を示し、各コイル部分を「×」印で示している。
各コイルと各接続端子２０９との接続関係について、図３に基づいて以下に説明する。
【００３１】
ボビン２０１は、セパレータａ２０２側の端部とセパレータｂ２０３側の端部とのそれぞれに接続端子２０９を配置する５つの区画を一列に有する。セパレータａ２０２側の区画を手前から「（５）」「（４）」「（３）」「（２）」「（１）」と記す。また、セパレータｂ２０３側の区画を手前から「（６）」「（７）」「（８）」「（９）」「（１０）」と記す。
【００３２】
ボビン２０１は、セパレータａ２０２側の区画（５）（３）および（１）に接続端子２０９が配置され、セパレータｂ２０３側の区画（６）（７）（９）（１０）に接続端子２０９が配置されている。
以下、区画（ｘ）に配置された接続端子２０９を「接続端子（ｘ）」という。
【００３３】
Ｐコイル２１０は、巻きセクションａ２９１に巻かれ、一端で接続端子（１）に接続し、他端で接続端子（７）に接続する。
Ｓ１コイル２１１は、Ｐコイル２１０の外周に巻かれ、一端で接続端子（７）に接続し、他端で接続端子（６）に接続する。
Ｓ２コイル２１２は、巻きセクションｂ２９２に巻かれ、一端で接続端子（５）に接続し、他端で接続端子（３）に接続する。
Ｓ３コイル２１３は、巻きセクションｃ２９３に巻かれ、一端で接続端子（９）に接続し、他端で接続端子（１０）に接続する。
【００３４】
Ｓ２コイル２１２を巻きセクションｂ２９２側の接続端子（５）（３）に接続し、Ｓ３コイル２１３を巻きセクションｃ２９３側の接続端子（９）（１０）に接続したことにより、各コイルを他のコイルに接することなく接続端子２０９に接続させることが容易になる。
【００３５】
バラストチョーク２００は後述するプリント基板に取り付けられ、バラストチョーク２００の各接続端子２０９はプリント基板に取り付けられる放電灯点灯装置１００の各回路と電気的に接続する。
接続端子（１）はインバータ回路１３０に接続し、接続端子（６）は予熱コンデンサａ１６３を介して放電灯ａ１０２の電極（Ａ）に接続し、接続端子（５）は放電灯ａ１０２の電極（Ｂ）に接続し、接続端子（３）は予熱コンデンサｂ１６４を介して放電灯ｂ１０３の電極（Ｃ）に接続し、接続端子（９）は予熱コンデンサｃ１６５を介して放電灯ｂ１０３の電極（Ｄ）に接続し、接続端子（１０）は直流カットコンデンサ１６１に接続する。
【００３６】
これにより、バラストチョーク２００の各コイルは、図１で示した回路を構成する。
【００３７】
図４は、実施の形態１におけるプリント基板３００を示す図である。
実施の形態１におけるプリント基板３００について、図４に基づいて以下に説明する。
【００３８】
プリント基板３００は、長方形（例えば、縦横比１：６以上）であり、整流回路部３１０、アクティブフィルタ回路部３２０、インバータ制御回路部３４０、インバータ回路部３３０、バラストチョーク部３５０、ランプ負荷回路部３６０および放電灯接続部３７０が順番に横並びで配置されている。
例えば、バラストチョーク２００は、各接続端子２０９がプリント基板３００の長辺側に並べて配置され、バラストチョーク部３５０に取り付けられる。バラストチョーク２００の接続端子（１）（３）（５）はプリント基板３００の一方の長辺と平行に並び、バラストチョーク２００の接続端子（６）（７）（９）（１０）はプリント基板３００の他方の長辺と平行に並ぶ。
【００３９】
上記のようにプリント基板３００にバラストチョーク２００を配置することにより、プリント基板３００の導体パターンが複雑にならず、導体パターンの間隔を広く確保し易くなる。
【００４０】
実施の形態１では、例えば、以下のような放電灯点灯用トランス（バラストチョーク２００）について説明した。
放電灯点灯用トランスは、インバータ式熱陰極形放電灯点灯装置が備えるランプチョークである。
放電灯点灯用トランスのボビンは、ランプ電流の制限を行う１次巻線（Ｐコイル２１０）と熱陰極形放電灯（ランプ）の電極を予熱する複数の２次巻線（Ｓｘコイル）を有する。さらに、ボビンは、１次巻線と２次巻線との夫々の巻きセクションを備えると共に、端部にプリント基板との接続用端子を備える。
放電灯点灯用トランスは、２次巻線（Ｓ２コイル２１２、Ｓ３コイル２１３）をボビン端部の夫々の巻きセクションに配置すると共に、端部の巻きセクションに巻かれた夫々の２次巻線は近傍の端部の接続用端子に接続する。
【００４１】
放電灯点灯装置は、２灯の熱陰極形放電灯を直列接続し、電極を予熱して２灯の放電灯を点灯させる。
放電灯点灯用トランスは、放電灯間の第１の電極予熱巻線（Ｓ２コイル２１２）と、１次巻線と最も電位差のある第２の電極予熱巻線（Ｓ３コイル２１３）とが端部の２つの巻きセクションに配置され、１次巻線と接続される第３の電極予熱巻線（Ｓ１コイル２１１）を１次巻線の外周に配置される。
【００４２】
第１の電極予熱巻線（Ｓ２コイル２１２）の接続端子（図３（３）（５））は、１次巻線の放電灯への接続端子（図３（７））とは反対側に配置され、第２の電極予熱巻線（Ｓ３コイル２１３）の接続端子（図３（９）（１０））は、第１の電極予熱巻線の接続端子とは反対側に配置される。
【００４３】
放電灯点灯用トランスは、縦横比が例えば１：６以上である長方形プリント基板上に端子部が長辺と平行になるように配置される。
インバータ式熱陰極形放電灯点灯装置は、プリント基板の端部に近い側に配置されるランプ周辺の回路部品（ランプ負荷回路部３６０）、放電灯点灯用トランス、直流電圧を高周波電圧に変換するインバータ部（インバータ回路１３０）のスイッチング素子とが順に配置される。
【００４４】
実施の形態１のバラストチョークは、例えば、以下のような効果を奏する。
（１）セパレータで１次巻線（Ｐコイル２１０）と絶縁された巻きセクション（巻きセクションｂ２９２、巻きセクションｃ２９３）を設け、各巻きセクションに２次巻線（Ｓ２コイル２１２、Ｓ３コイル２１３）を巻いたので、始動電圧が高くても巻線間の絶縁の信頼性を確保することができる。
（２）１次巻線と同電位となる２次巻線（Ｓ１コイル２１１）以外の２次巻線（Ｓ２コイル２１２、Ｓ３コイル２１３）を１次巻線とは別の巻きセクションに配置したので、１次巻線を巻くことが可能な窓面積を削減することなく絶縁性能を確保できる。
（３）ボビン両端に設けられた各巻線の端子（接続端子２０９）をそれぞれの巻線直近のボビン端部に設けたので、各巻線を端子に導く際に他の巻線に接することがなく、絶縁性能の確保が確実である。
【００４５】
バラストチョークをプリント基板上に配置して放電灯点灯装置を構成する際、バラストチョークの端子の方向配置が重要になってくる。
バラストチョークの端子がプリント基板の長辺方向に平行になるようにしたことで、プリント基板のパターン間の絶縁距離を所定値以上に確保することができる。さらに、ランプ側回路部品（ランプ負荷回路部３６０に取り付けられる部品）へのパターン配置と、バラストチョークの１次巻線のインバータ回路へのパターン配置とが容易になる。
【００４６】
バラストチョーク２００は、放電灯点灯装置以外で用いられてもよい。
また、本実施の形態では、バラストチョーク２００にギャップ有りとギャップ無しとを組み合わせたセンターギャップ方式のコアを用いる場合について説明したが、ギャップ有りのものを２つ組み合わせたコアを用いてもよく、またセンターギャップ方式でないコアを用いてもよい。
【００４７】
実施の形態２．
３つの巻きセクションを有するバラストチョーク２００の別形態について説明する。
以下、実施の形態１と異なる事項について主に説明する。説明を省略する事項については実施の形態１と同様である。
【００４８】
＜実施例１＞
Ｐコイル２１０を巻くセクションを２つに分けた実施例について説明する。
【００４９】
図５は、実施の形態２（実施例１）におけるバラストチョーク２００のコイルと接続端子２０９との配置図である。図５は、実施の形態１の図３に対応している。
実施の形態２（実施例１）におけるバラストチョーク２００について、図５に基づいて以下に説明する。
【００５０】
バラストチョーク２００は、セパレータａ２０２とセパレータｂ２０３との間にセパレータｃ２０４を備える。
以下、セパレータａ２０２とセパレータｃ２０４との間を「巻きセクションａ１２９４」、セパレータｃ２０４とセパレータｂ２０３との間を「巻きセクションａ２２９５」という。
また、１次巻線はＰ１コイル２１４として巻きセクションａ１２９４に巻かれると共に、Ｐ２コイル２１５として巻きセクションａ２２９５に巻かれる。Ｓ１コイル２１１はＰ２コイル２１５の外周に巻かれる。
【００５１】
＜実施例２＞
放電灯を１灯にした実施例について説明する。
【００５２】
図６は、実施の形態２（実施例２）における放電灯点灯装置１００の回路図である。図６は、実施の形態１の図１に対応している。
図７は、実施の形態２（実施例２）におけるバラストチョーク２００のコイルと接続端子２０９との配置図である。図７は、実施の形態１の図３に対応している。
実施の形態２（実施例２）における放電灯点灯装置１００について、図６および図７に基づいて以下に説明する。
【００５３】
図６に示すように、放電灯点灯装置１００に接続される放電灯は１灯（放電灯ａ１０２）であり、バラストチョーク２００に巻かれる２次巻線は２つ（Ｓ１コイル２１１、Ｓ３コイル２１３）である。
図７に示すように、Ｐコイル２１０は巻きセクションａ２９１に巻かれ、一端で接続端子（１）に接続し、他端で接続端子（７）に接続する。
Ｓ１コイル２１１は巻きセクションｃ２９３に巻かれ、一端で接続端子（７）に接続し、他端で接続端子（６）に接続する。
Ｓ３コイル２１３は巻きセクションｂ２９２に巻かれ、一端で接続端子（５）に接続し、他端で接続端子（３）に接続する。
接続端子（１）はインバータ回路１３０に接続し、接続端子（６）は予熱コンデンサａ１６３を介して放電灯ａ１０２の電極（Ａ）に接続し、接続端子（５）は予熱コンデンサｃ１６５を介して放電灯ａ１０２の電極（Ｂ）に接続し、接続端子（３）は直流カットコンデンサ１６１に接続する。
【００５４】
実施の形態２で説明したバラストチョーク２００は、３つの巻きセクションを有することにより、実施の形態１と同じ効果を奏する。
【符号の説明】
【００５５】
１００  放電灯点灯装置、１０１  商用電源、１０２  放電灯ａ、１０３  放電灯ｂ、１１０  整流回路、１２０  アクティブフィルタ回路、１３０  インバータ回路、１３１  スイッチング素子、１４０  インバータ制御回路、１６０  ランプ負荷回路、１６１  直流カットコンデンサ、１６２  始動コンデンサ、１６３  予熱コンデンサａ、１６４  予熱コンデンサｂ、１６５  予熱コンデンサｃ、２００  バラストチョーク、２０１  ボビン、２０２  セパレータａ、２０３  セパレータｂ、２０４  セパレータｃ、２０５  ギャップ付コア、２０６  ギャップ無コア、２０７  コアテープ、２０８Ａ  外装テープ、２０８Ｂ  絶縁テープ、２０９  接続端子、２１０  Ｐコイル、２１１  Ｓ１コイル、２１２  Ｓ２コイル、２１３  Ｓ３コイル、２１４  Ｐ１コイル、２１５  Ｐ２コイル、２９１  巻きセクションａ、２９２  巻きセクションｂ、２９３  巻きセクションｃ、２９４  巻きセクションａ１、２９５  巻きセクションａ２、３００  プリント基板、３１０  整流回路部、３２０  アクティブフィルタ回路部、３３０  インバータ回路部、３４０  インバータ制御回路部、３５０  バラストチョーク部、３６０  ランプ負荷回路部、３７０  放電灯接続部。
【図１】
2010212340.tif 000003
【図２】
2010212340.tif 000004
【図３】
2010212340.tif 000005
【図４】
2010212340.tif 000006
【図５】
2010212340.tif 000007
【図６】
2010212340.tif 000008
【図７】
2010212340.tif 000009